(57)【要約】【課題】カメラの撮像角度をパン・チルトの両方向に調整することができるインターホン機器を提供する。【解決手段】カメラ基板１５の後面に、レンズ５の中心線上において後方へ突出する調整突起６２を備えた角度調整部材１６を固定する一方、本体ケース内に、カメラホルダー１４に突設された左右の軸部を夫々前後方向へ移動可能な状態で軸支する溝４１や軸支壁４２、軸支部５１、５１を設けるとともに、本体ケース内における調整突起６２の後側に対向する位置に、後側へ凹む球面状に形成された凹部５２を設け、さらに凹部５２内に、調整突起６２が係合可能な複数の調整凹部５３、５３・・を所定の領域内で上下左右へ設けた。【選択図】図７
2020005235.tif 000002
【特許請求の範囲】
【請求項１】
本体ケース内に、レンズを有するホルダー部材と、制御素子が搭載され、前記ホルダー部材の後面に固定されるカメラ基板とを有するカメラが、前記本体ケースの前方を撮像可能に取り付けられてなるインターホン機器であって、
前記ホルダー部材の左右両側に、左右外方へ夫々突出する軸部が設けられているとともに、左右何れか一方の前記軸部の先端に摘まみ部が設けられ、前記本体ケースの表面に開設された操作窓内に前記摘まみ部が露出しており、
さらに前記カメラ基板の後面に、前記レンズの中心線上において後方へ突出する調整突起を備えた角度調整部材が固定されている一方、
前記本体ケース内に、左右の前記軸部を夫々前後方向へ移動可能な状態で軸支する軸支部が設けられているとともに、前記本体ケース内における前記調整突起の後側に対向する位置に、後側へ凹む球面状に形成された凹部が設けられており、
さらに前記凹部内に、前記調整突起が係合可能な複数の調整凹部が所定の領域内で上下左右へ設けられており、
前記本体ケースの外側から前記摘まみ部を操作して、前記調整突起が係合する前記調整凹部を変更することにより、前記カメラのパン・チルト角度を変更可能としたことを特徴とするインターホン機器。
【請求項２】
前記角度調整部材が、前記カメラ基板の後面に固定される基部を有しているとともに、前記調整突起が、弾性を有する弾性部を介して前記基部に連結されており、
前記弾性部の弾性力により、前記調整突起と前記調整凹部との係合状態が保持されることを特徴とする請求項１に記載のインターホン機器。
【発明の詳細な説明】
【技術分野】
【０００１】
本発明は、たとえば来訪者等を撮像するためのカメラを備えたインターホン機器に関するものである。
【背景技術】
【０００２】
従来、たとえばインターホン機器の一例であるインターホン子機としては、本体ケースの前面に来訪者を撮像するためのカメラが備えられたものがある。また、そのようなインターホン子機においては、カメラを、左右方向を軸として回転するカメラホルダーに保持し、インターホン機器の設置環境等に応じて上下方向での撮像角度、すなわちチルト角度を調整可能に設けることがある（たとえば特許文献１）。
【先行技術文献】
【特許文献】
【０００３】
【特許文献１】特開２０１６−１８９５７３号公報
【発明の概要】
【発明が解決しようとする課題】
【０００４】
しかしながら、近年、カメラを、チルト角度のみならず、左右方向での撮像角度、すなわちパン角度についても調整可能に設けることが望まれている。
【０００５】
そこで、本発明は、上記問題に鑑みなされたものであって、カメラの撮像角度をパン・チルトの両方向に調整することができるインターホン機器を提供しようとするものである。
【課題を解決するための手段】
【０００６】
上記目的を達成するために、本発明のうち請求項１に記載の発明は、本体ケース内に、レンズを有するホルダー部材と、制御素子が搭載され、ホルダー部材の後面に固定されるカメラ基板とを有するカメラが、本体ケースの前方を撮像可能に取り付けられてなるインターホン機器であって、ホルダー部材の左右両側に、左右外方へ夫々突出する軸部が設けられているとともに、左右何れか一方の軸部の先端に摘まみ部が設けられ、本体ケースの表面に開設された操作窓内に摘まみ部が露出しており、さらにカメラ基板の後面に、レンズの中心線上において後方へ突出する調整突起を備えた角度調整部材が固定されている一方、本体ケース内に、左右の軸部を夫々前後方向へ移動可能な状態で軸支する軸支部が設けられているとともに、本体ケース内における調整突起の後側に対向する位置に、後側へ凹む球面状に形成された凹部が設けられており、さらに凹部内に、調整突起が係合可能な複数の調整凹部が所定の領域内で上下左右へ設けられており、本体ケースの外側から摘まみ部を操作して、調整突起が係合する調整凹部を変更することにより、カメラのパン・チルト角度を変更可能としたことを特徴とする。
請求項１に記載の発明によれば、カメラ基板の後面に、レンズの中心線上において後方へ突出する調整突起を備えた角度調整部材を固定する一方、本体ケース内に、左右の軸部を夫々前後方向へ移動可能な状態で軸支する軸支部を設けるとともに、本体ケース内における調整突起の後側に対向する位置に、後側へ凹む球面状に形成された凹部を設け、さらに凹部内に、調整突起が係合可能な複数の調整凹部を所定の領域内で上下左右へ設けている。したがって、本体ケースの外側から摘まみ部を操作して、調整突起が係合する調整凹部を変更することにより、カメラの撮像角度をパン・チルトの両方向に調整することができる。
【０００７】
また、請求項２に記載の発明は、請求項１に記載の発明において、角度調整部材が、カメラ基板の後面に固定される基部を有しているとともに、調整突起が、弾性を有する弾性部を介して基部に連結されており、弾性部の弾性力により、調整突起と調整凹部との係合状態が保持されることを特徴とする。
請求項２に記載の発明によれば、調整突起が、弾性を有する弾性部を介して基部に連結されているため、弾性部の弾性力にって調整突起と調整凹部との係合状態が保持される。したがって、調整突起と調整凹部との係合状態を保持するための別途部材が必要ないため、カメラを所望のパン・チルト角度で容易に保持することができるし、通信機器の構成の簡素化、ひいては通信機器の小型化を図ることができる。
【発明の効果】
【０００８】
本発明によれば、ホルダー部材の左右両側に、左右外方へ夫々突出する軸部を設けるとともに、左右何れか一方の軸部の先端に摘まみ部を設け、本体ケースの表面に開設された操作窓内に摘まみ部を露出させている。また、カメラ基板の後面に、レンズの中心線上において後方へ突出する調整突起を備えた角度調整部材を固定している。一方、本体ケース内に、左右の軸部を夫々前後方向へ移動可能な状態で軸支する軸支部を設けるとともに、本体ケース内における調整突起の後側に対向する位置に、後側へ凹む球面状に形成された凹部を設け、さらに凹部内に、調整突起が係合可能な複数の調整凹部を所定の領域内で上下左右へ設けている。したがって、本体ケースの外側から摘まみ部を操作して、調整突起が係合する調整凹部を変更することにより、カメラの撮像角度をパン・チルトの両方向に調整することができる。
【図面の簡単な説明】
【０００９】
【図１】インターホン子機を前側から示した説明図である。
【図２】化粧カバーが取り外された状態にある前ケースを前側から示した斜視説明図である。
【図３】インターホン子機を後側から示した斜視説明図である。
【図４】後ケースを前面側から示した斜視説明図である。
【図５】後ケースが取り外された状態を後側から示した斜視説明図である。
【図６】インターホン子機におけるカメラ部分の垂直断面を示した説明図である。
【図７】インターホン子機におけるカメラ部分の水平断面を示した説明図である。
【図８】カメラの撮像角度を右上方へ調整した状態を示した説明図である。
【図９】カメラの撮像角度を左下方へ調整した状態を示した説明図である。
【発明を実施するための形態】
【００１０】
以下、本発明の一実施形態となるインターホン子機について、図面にもとづき詳細に説明する。
【００１１】
図１は、インターホン子機１を前側から示した説明図である。図２は、化粧カバー１０が取り外された状態にある前ケース２を前側から示した斜視説明図であり、カメラ１１は略真正面を向いている。図３は、インターホン子機１を後側から示した斜視説明図である。図４は、後ケース３を前面側から示した斜視説明図である。図５は、後ケース３が取り外された状態を後側から示した斜視説明図である。図６は、インターホン子機１におけるカメラ１１部分の垂直断面を示した説明図である。図７は、インターホン子機１におけるカメラ１１部分の水平断面を示した説明図である。図８は、カメラ１１の撮像角度を右上方へ調整した状態を示した説明図である。図９は、カメラ１１の撮像角度を左下方へ調整した状態を示した説明図である。
【００１２】
インターホン子機１は、前側に配置される前ケース２と、後側に配置される後ケース３とで構成される本体ケース、及び本体ケースの前面に取り付けられる化粧カバー１０を有してなる。本体ケースの前面上部には、カメラ窓４が開設されており、該カメラ窓４内にレンズ５が露出するように、カメラ１１が本体ケース内に設置されている。また、カメラ窓４の右側には、通話のためのマイク部６が設けられている。さらに、カメラ窓４の下側には、来訪者が居住者を呼び出す際に操作する呼出ボタン７と、通話のためのスピーカ部８とが設けられている。そして、このようなインターホン子機１は、住戸の玄関の壁面等に設置されており、来訪者によって呼出ボタン７が操作されると、住戸内に設置されているインターホン親機（図示せず）を呼び出すとともに、カメラ１１を作動させて来訪者を撮像する。なお、９は、カメラ窓４を覆うカメラカバーである。また、カメラ１１が撮像した映像は、インターホン親機に備えられているモニタに表示される。
【００１３】
ここで、カメラ１１の本体ケース内への取付構造について説明する。
まずカメラ１１は、レンズ５と、レンズ５を保持するレンズ鏡筒１２と、レンズ鏡筒１２を保持するレンズホルダー１３と、レンズホルダー１３が組み付けられるカメラホルダー１４と、レンズホルダー１３にネジ止めされる種々の素子が搭載されたカメラ基板１５と、カメラ基板１５の後面側に組み付けられる角度調整部材１６とを有する。レンズホルダー１３は、後側へ開口する略方体箱状に成形された基台部２１を有してなり、その内部空間はカメラ基板１５の一部を収納可能な収納凹部２３となっている。また、基台部２１の前面略中央には、前方へ突出する筒状に成形された螺合部２２が設けられており、該螺合部２２の内面にはネジ溝が刻設され、レンズ鏡筒１２の後部を前方から螺入可能となっている。さらに、基台部２１の左右両側には、カメラ基板１５をネジ止めするための基板固定部２４、２４が設けられている。なお、螺合部２２内と収納凹部２３内とは連通している。
【００１４】
カメラホルダー１４は、前方へ膨出するドーム状に成形された本体３１を有しており、該本体３１の表面には、球面状に成形された球面部３１ａが設けられている。また、本体３１の前面部には、レンズ５を露出させるためのレンズ孔３４が開設されており、当該レンズ孔３４の開口縁から後方へ向けてレンズ鏡筒１２の前部を挿通可能な保持筒３５が突設されている。さらに、本体３１の左部の後端縁には、左方へ突出する操作軸片３２が設けられている一方、本体３１の右部の後端縁で、レンズ孔３４の中心を通って操作軸片３２に対向する位置には、右方へ突出する回動軸部３３が設けられている。該操作軸片３２は、本体３１から突出する軸部と、軸部の先端に設けられた操作摘まみ３２ａとを有しており、操作摘まみ３２ａは、上下方向へ延びる板部と、当該板部から前方へ立設されたリブとを有している。加えて、本体３１の外周縁部には、カメラ基板１５及び角度調整部材１６を介してレンズホルダー１３と一体化するための固定部３６、３６が設けられている。なお、球面部３１ａは、レンズ５の中心線（レンズ孔３４の中心でもある）とカメラホルダー１４の回動軸線（操作軸片３２や回動軸部３３の中心線）とが交差する点を中心とした球面とされている。
【００１５】
角度調整部材１６は、カメラ基板１５を介してレンズホルダー１３へネジ止めするための第１のネジ止め部６４、及びカメラ基板１５を介してカメラホルダー１４へネジ止めするための第２のネジ止め部６５を左右に夫々有する基部６１と、後方へ突出する調整突起６２と、基部６１と調整突起６２とを連結する弾性変形可能な弾性部６３とを有してなる。そして、当該角度調整部材１６は、調整突起６２の先端がレンズ５の中心線上に位置するようにして、カメラ基板１５の後面にネジ止めされている。
【００１６】
一方、前ケース２の後面には、カメラホルダー１４を保持するための保持壁４０が、カメラ窓４の周縁に沿って後方へ突設されている。そして、保持壁４０の内面は、球面部３１ａの表面が密着し、カメラホルダー１４のパン・チルト動作させた際、密着したまま球面部３１ａ上を相対的に移動するように成形されている。また、前ケース２の後面で、カメラ窓４の左側（前面から見て）には、前方へ切り込まれた溝４１を有するリブが設けられている。該溝４１の上下幅は、操作軸片３２の軸部の径と略同じとされていて、カメラ１１のチルト角度を調整する際に、操作軸片３２の軸部を軸支する軸受けとして機能するようになっている。また、溝４１の前後長さは、操作軸片３２の軸部の径よりも十分に長くなっており、カメラ１１のパン角度の調整に伴う操作軸片３２の前後方向への移動を許容可能となっている。加えて、前ケース２におけるリブの左隣となる位置には、操作軸片３２の操作摘まみ３２ａを露出させるための操作窓１７が開設されている。一方、前ケース２の後面で、カメラ窓４の右側（前面から見て）には、前面視コ字状の軸支壁４２が後方へ突設されている。軸支壁４２の上下幅は、回動軸部３３の径と略同じとされていて、カメラ１１のチルト角度を調整する際に、回動軸部３３を軸支可能となっている。また、軸支壁４２の前後長さは、回動軸部３３の径よりも十分に長くなっており、カメラ１１のパン角度の調整に伴う回動軸部３３の前後方向への移動を許容可能となっている。
【００１７】
一方、後ケース３の前面で、前ケース２への組み付け時にカメラ窓４の後側となる位置には、後方へ球面状に凹んだ凹部５２が設けられており、当該凹部５２の底部には、調整突起６２の先端が係合可能な複数の調整凹部５３、５３・・が所定の領域内で上下左右に密集させて設けられている。また、凹部５２の左右両側で、前ケース２への組み付け時に溝４１の後方に対向する位置、及び軸支壁４２の後方に対向する位置には、操作軸片３２の軸部や回動軸部３３を軸支可能な軸支部５１、５１が設けられている。
【００１８】
上記カメラ１１は、カメラ窓４内にレンズ５を露出させつつカメラホルダー１４の球面部３１ａを保持壁４０に当接させ、更に操作軸片３２の軸部を溝４１内へ、回動軸部３３を軸支壁４２内へ夫々挿入させた状態としてから、前ケース２と後ケース３とを組み付けることによって本体ケース内に取り付けられる。そして、当該取付状態にあっては、操作軸片３２の操作摘まみ３２ａが操作窓１７内に露出している。また、角度調整部材１６の調整突起６２が何れか１つの調整凹部５３に係合しており、カメラ１１が弾性部６３の弾性力によって所定のパン・チルト角度で保持された状態となっている。そこで、本体ケースの前面側から操作摘まみ３２ａを操作し、弾性部６３の弾性力に抗して調整突起６２が係合する調整凹部５３を変更することにより、カメラ１１のパン・チルト角度を所望の角度に調整することができるとともに、変更したパン・チルト角度でカメラ１１を保持させることができる。たとえば図２に示すようにカメラが略正面を向いている姿勢から図８に示すようなカメラ１１が右上方を向く姿勢や、図９に示すような左下方を向く姿勢に調整することができ、且つ、当該姿勢のままカメラ１１を保持することができる。
【００１９】
以上のような構成を有するインターホン子機１によれば、カメラホルダー１４の左側に操作軸片３２を、右側に回動軸部３３を夫々突設し、操作軸片３２の先端に設けられている操作摘まみ３３を操作窓１７内に露出させるような格好で、カメラ１１を本体ケース内に軸支させている。また、その軸支の構造としては、前後方向へ延びる溝４１や軸支壁４２を採用し、操作軸片３２の軸部や回動軸部３３の前後方向への移動を許容している。一方、カメラ基板１５の後面に、レンズ５の中心線上において後方へ突出する調整突起６２を備えた角度調整部材１６を固定するとともに、本体ケース内における調整突起６２の後側に対向する位置に、後側へ凹む球面状に形成された凹部５２を設け、さらに凹部５２内に、調整突起６２が係合可能な複数の調整凹部５３、５３・・を所定の領域内で上下左右に密集させて設けている。したがって、本体ケースの外側から操作摘まみ３２ａを操作し、調整突起６２が係合する調整凹部５３を変更することにより、カメラ１１の撮像角度をパン・チルトの両方向に調整することができる。
【００２０】
また、角度調整部材１６として、カメラ基板１５を介してレンズホルダー１３へネジ止めするための第１のネジ止め部６４、及びカメラ基板１５を介してカメラホルダー１４へネジ止めするための第２のネジ止め部６５を左右に夫々有する基部６１を設けるとともに、基部６１と調整突起６２とを弾性変形可能な弾性部６３により連結している。したがって、調整突起６２と調整凹部５３との係合状態を保持するための別途部材が必要ないため、カメラ１１を所望のパン・チルト角度で容易に保持することができるし、インターホン子機１の構成の簡素化、ひいてはインターホン子機１の小型化を図ることができる。
【００２１】
なお、本発明に係るインターホン機器は、上記実施形態の態様に何ら限定されるものではなく、インターホン機器の全体的な構成は勿論、カメラの構成やその撮像角度の調整に係る構成等についても、本発明の趣旨を逸脱しない範囲で、必要に応じて適宜変更することができる。
【００２２】
たとえば、上記実施形態では、摘まみ部を本体ケースの前面に露出させているが、本体ケースの後面や側面に露出させるように構成してもよい。
また、摘まみ部を左右何れの軸部に設けるかについても適宜設計変更可能である。
さらに、上記実施形態では、調整突起と基台とを弾性部により連結することで、カメラを所定の姿勢のまま保持する部材を別途必要としないように構成しているが、そのような構成を採用せず、カメラを所定の姿勢のまま保持する部材を摘まみ部の近傍に別途設けるように構成してもよい。
【００２３】
さらにまた、上記実施形態では、凹部内の所定の領域内に、複数の調整凹部を上下左右へ密集させて（隣り合う調整凹部同士が隣接するように）設けているが、調整凹部同士の間に少し距離をとりつつ複数の調整凹部を上下左右へ設けてもよい。
加えて、上記実施形態では、インターホン機器の一例であるインターホン子機について説明しているが、本発明は、カメラを備えてさえいれば、インターホン親機等の他のインターホン機器についても好適に適用することができる。
【符号の説明】
【００２４】
１・・インターホン子機（インターホン機器）、２・・前ケース（本体ケース）、３・・後ケース（本体ケース）、４・・カメラ窓、５・・レンズ、１１・・カメラ、１２・・レンズ鏡筒（ホルダー部材）、１３・・レンズホルダー（ホルダー部材）、１４・・カメラホルダー（ホルダー部材）、１５・・カメラ基板、１６・・角度調整部材、１７・・操作窓、３２・・操作軸片（軸部）、３２ａ・・操作摘まみ（摘まみ部）、３３・・回動軸部（軸部）、４１・・溝（軸支部）、４２・・軸支壁（軸支部）、５１・・軸支部、５２・・凹部、５３・・調整凹部、６１・・貴部、６２・・調整突起、６３・・弾性部。
【図１】
2020005235.tif 000003
【図２】
2020005235.tif 000004
【図３】
2020005235.tif 000005
【図４】
2020005235.tif 000006
【図５】
2020005235.tif 000007
【図６】
2020005235.tif 000008
【図７】
2020005235.tif 000009
【図８】
2020005235.tif 000010
【図９】
2020005235.tif 000011